(57)【要約】      （修正有）【課題】日常の行動を妨げることなく、体臭が多く発生する部位を効率よく殺菌、消臭を可能にする首輪型消臭器。【解決手段】首輪型消臭器１の内部に電源バッテリー４を設け、該電源バッテリー４から流れる電流を高電圧発生装置２に供給することにより高電圧が発生し、この高電圧を二重絶縁高電圧電線６に流し、該首輪型消臭器１に組み込んだマイナスイオン及びオゾン放射装置３に送ることによりマナスイオン及びオゾンを同時に発生させ、首の周辺で発生する体臭全般を殺菌、消臭する。【選択図】図１
0003216021.tif 000002
【実用新案登録請求の範囲】
【請求項１】
首輪型消臭器（1）は首輪状の内部に高電圧発生装置（2）と電源バッテリー（4）を設け、高電圧発生装置（2）より発生させた高電圧流を二重絶縁高電圧電線（6）を通し、マイナスイオン及びオゾン放射装置（3）からマイナスイオン及びオゾンを同時に発生、放射し、首の周辺で発生する体臭全般を殺菌、消臭することを特徴とする首輪型消臭器。
【請求項２】
前記、首輪型消臭器（1）において、マナスイオン及びオゾン放射装置（3）を左右2箇所に設けたことを特徴とする請求項1に記載の首輪型消臭器（1）。
【考案の詳細な説明】
【技術分野】
【０００１】
本発明は首輪型消臭器に関する。
【背景技術】
【０００２】
従来のマイナスイオンおよびオゾンを用いての殺菌、消臭器は、部屋、箱の中などに発生、残存した匂いを消臭するために多く用いられている。それらを使用し人体から発生する体臭を消臭するためには、人体ごと一定期間、消臭装置の稼働する部屋、または箱の中などに定着させなければ効果は期待出来ないため、行動範囲の制約、時間の拘束が必要となり、日常生活での使用には適さない。
【０００３】
人体をマイナスイオンおよびオゾンを用いての殺菌、消臭器の稼働する部屋、または箱の中などに定着させるのではなく、その殺菌、消臭器から発生するマイナスイオンおよびオゾンを人体に直接吹き付けることが効果的だと考えられる。
特許文献1のトイレ用瞬間脱臭装置、また特許文献2のマイナスイオンおよびオゾン発生装置が開
示されている。
【先行技術文献】
【特許文献】
【０００４】
【特許文献１】特開 2009-264001号 公報
【特許文献２】特開 2005-13831 号  公報
【考案の概要】
【考案が解決しようとする課題】
【０００５】
人体から発生する体臭を消臭するには、人体の体臭が多く発生する部分に常にマナスイオンおよびオゾンを供給し続けることが困難であり、また、人体の行動範囲を著しく阻害することとなり、実質的には使用することは不可能と思われるのが現状である。
【０００６】
本考案は、高電圧発生装置とマイナスイオンおよびオゾン放射装置を首輪型の輪の内部に組み込み、通常の首輪と同様に人体の首にかけて使用することにより、人体の行動を妨げることなく、人体から体臭の多く発生する部分にマイナスイオンおよびオゾンを供給し続けることにより、効率よくかつ効果的に殺菌、消臭を可能にすることを目的とする。
【課題を解決するための手段】
【０００７】
本考案の首輪型消臭器は首輪状の内部に高電圧発生装置と電源バッテリーを設け、高電圧発生装置より発生させた高電圧流を二重絶縁高電圧電線を通し、マイナスイオンおよびオゾン放射口からマイナスイオンとオゾンを同時に放射させ、首の周辺で発生する体臭全般を殺菌、消臭する。
【考案の効果】
【０００８】
本発明により殺菌、消臭を必要とする体臭を多く発生する部位に、常に多くのマイナスイオンおよびオゾンを供給し続けることが可能になり、殺菌、消臭効果を増大させることが可能となる。また、首輪型の構成により人体の行動の妨げ、行動範囲の制限を持たない。しかも、首輪型消臭器は稼働に必要な電源バッテリーを簡易に脱着することが可能であり、電池が切れた場合には首輪型消臭器を首から外すことなく電源バッテリーを交換し、そのまま使用を続行することが可能である。
【図面の簡単な説明】
【０００９】
【図１】本考案の実施の形態を示す全体視図である。
【図２】本考案のマイナスイオンおよびオゾン発生装置の回路図である。
【図３】本考案のマイナスイオンおよびオゾン放射装置の図である。
【考案を実施するための形態】
【００１０】
本考案を実施するための具体的な実施形態を図面を引用し説明する。
【００１１】
図1の首輪型消臭器（1）の全体を説明する。全体の輪の内部に電気的に稼働させるための電  源バッテリー（4）を設け、その電源バッテリーは簡易に交換を可能にするため、脱着式取付口（5）を備える。その電源バッテリーから供給される電源を用いて高電圧発生装置（2）が人体に有害でない使用可能な範囲内のマイナスイオンおよびオゾンを発生させる適正な高電圧によって発生させ、またその高電圧流は二重絶縁高電圧電線（6）を使用してマイナスイオンおよびオゾン放射装置（3）に通し、マイナスイオンおよびオゾン放射装置（3）内でコロナ放電を用いてマイナスイオンとオゾンを同時に発生させる。
【００１２】
前記において示した電源バッテリー（4）は繰り返し充電使用が可能であり、例にあげるとニカド電池、ニッケル水素電池、リチウムイオン電池などである。電源と高電圧発生装置（2）に接続する脱着式取付口（5）はあらゆる接続方法が考えられるが、本考案では電源バッテリーの充電口を考慮しUSB口の接続方式を使用する。
【００１３】
高電圧発生装置（2）より発生させた高電圧流をマイナスイオンおよびオゾン放射装置（3）に流す高電圧電線は人体のごく近いところで使用することを考慮し、人体への悪影響（リークなど）を防止するため、高電圧電線は安全規格のものを使用することは必須であり、保護性を最大に考慮するため、高電圧電線に絶縁チューブを被覆した二重絶縁高電圧電線（6）を製作し使用する。
【００１４】
マイナスイオンおよびオゾン放射装置（3）に高電圧流が流れ、コロナ放電方式の作用により、放電電極（7）、絶縁体（8）、正電極GD（9）の周辺から発生するマイナスイオンとオゾンをマイナスイオンおよびオゾン放射口（10）より放射される。その際、発生させる高電圧流の電圧と放電電極（7）、絶縁体（8）、正電極GD（9）の設置間隔によって、マナスイオンおよびオゾンの発生量の調整が可能なことは言うまでもない。
【００１５】
マイナスイオンおよびオゾン放射装置（3）全体の材質は、その中で高電圧のコロナ放電が実施されているということを考慮し、絶縁を最優先に考えた材質を選択する必要がある。そのために選択される材質は多彩に考えられる。本考案はシリコン等の樹脂を使用する。
【実施例】
【００１６】
図1の首輪型消臭器（1）を通常の首輪のように人体の首部にかけ、電源スイッチ（図示せず）を入れると電源バッテリー（4）から供給された電流が脱着式取付口（5）を通り、高電圧発生装置（2）を作動させることにより高電圧流を発生させ、その高電圧流がマイナスイオンおよびオゾン放射装置によってマイナスイオンとオゾンを同時に発生、放射させ周囲の殺菌、消毒をする。
【符号の説明】
【００１７】
1  首輪型消臭器
2  高電圧発生装置
3  マイナスイオンおよびオゾン放射装置
4  電源バッテリー
5  脱着式取付口
6  二重絶縁高電圧電線
7  放電電極
8  絶縁体
9  正電極GD
10  マイナスイオンおよびオゾン放射口  
【図１】
0003216021.tif 000003
【図２】
0003216021.tif 000004
【図３】
0003216021.tif 000005
【手続補正書】
【提出日】平成30年2月4日(2018.2.4)
【手続補正１】
【補正対象書類名】実用新案登録請求の範囲
【補正対象項目名】全文
【補正方法】変更
【補正の内容】
【実用新案登録請求の範囲】
【請求項１】
首輪型消臭器（１）の内部に電源バッテリー（４）を設け、該電源バッテリー（４）から流れる電流を高電圧発生装置（２）に供給することにより高電圧が発生し、この高電圧を二重絶縁高電圧電線（６）に流し、該首輪型消臭器（１）に組み込んだマイナスイオン及びオゾン放射装置（３）に送ることによりマナスイオン及びオゾンを同時に発生させ、首の周辺で発生する体臭全般を殺菌、消臭することを特微とする首輪型消臭器。
【請求項２】
前記、首輪型消臭器（１）において、マイナスイオン及びオゾン放射装置（３）を左右２箇所に設けることを特徴とする、請求項１に記載の首輪型消臭器。